(57)【要約】【課題】本発明の目的は不要ケーブルの識別を簡単にできケーブル撤去作業を容易に行える撤去ケーブル識別方法を提供することにある。【解決手段】布設されている複数本のシールドケーブル１の絶縁外皮５に任意区間毎に示温変色塗料を塗布する。撤去すべきシールドケーブル１の一端における芯線２とシールド線４を電気的に接続して他端の芯線２とシールド線４の間に電圧を印加し、示温変色塗料の熱による変色によって撤去すべきシールドケーブル１を識別するようにしたことにある。【選択図】  図１
2004282820.tif 000002
【特許請求の範囲】
【請求項１】
布設されている複数本のシールドケーブルの絶縁外皮に任意区間毎に示温変色塗料を塗布し、撤去すべき前記シールドケーブルの一端における芯線とシールド線を電気的に接続して前記シールドケーブルの他端の芯線とシールド線の間に電圧を印加し、前記示温変色塗料の変色によって撤去すべき前記シールドケーブルを識別することを特徴とする撤去ケーブル識別方法。
【請求項２】
芯線を覆う絶縁シースの外面にシールド線の編組を設け、前記シールド線を絶縁外皮で覆い形成されている複数本のシールドケーブルが配線ダクトに収容されているものであって、前記複数本のシールドケーブルの絶縁外皮に任意区間毎に示温変色塗料を塗布し、撤去すべき前記シールドケーブルの一端における芯線とシールド線を電気的に接続して前記シールドケーブルの他端の芯線とシールド線の間に交流電圧を印加し、前記示温変色塗料の熱による変色によって撤去すべき前記シールドケーブルを識別することを特徴とする撤去ケーブル識別方法。
【請求項３】
請求項２において、前記シールドケーブルの芯線とシールド線の間に印加する交流電圧は高周波電圧であることを特徴とする撤去ケーブル識別方法。
【請求項４】
請求項１〜３のいずれか１項において、前記示温変色塗料は、温度に関して不可逆性であることを特徴とする撤去ケーブル識別方法。
【請求項５】
請求項１〜３のいずれか１項において、前記示温変色塗料は、温度に関して可逆性であることを特徴とする撤去ケーブル識別方法。
【発明の詳細な説明】
【０００１】
【発明の属する技術分野】
本発明は発電所や変電所などのプラントに布設されている複数本のケーブルから撤去すべきケーブルを識別する撤去ケーブル識別方法に関する。
【０００２】
【従来の技術】
【特許文献１】特開２００１−２５１７１８号公報
【特許文献２】特開２００２−１２２６２７号公報
発電所や変電所等のプラントにおいては、電力線、信号線のケーブルが各設備機器相互間、及びこれらの設備機器から制御室へと複数本、長距離に亘って張り巡らされている。通常、ケーブルは配線ダクトに収容されている。
【０００３】
ケーブルとしては、自身からのノイズ放射防止と外部からのノイズ入射防止のためにシールドケーブルが多く使用されている。周知のように、シールドケーブルは、導体の芯線を覆う絶縁シースの外面にシールド線の編組を設け、シールド線編組をゴムや樹脂の絶縁外皮で覆い形成されている。
【０００４】
プラントの設備機器の増設、システムの変更、改造等では新たなケーブルの布設と既布設のケーブルで不要なケーブルが生じる。不要なケーブルは配線ダクトから撤去することが望まれる。設備機器の接続端子あるいは端子台に接続されるケーブルの末端（両端）にはケーブルの番号や接続先などを表示した識別具が取付けられている。
【０００５】
不要なケーブルの撤去は、対象ケーブルの端から辿って目視で追跡して行き、所定長さで切断している。しかし、ケーブル長が長距離で多数本のケーブルが布設されているときには極めて困難な作業になる。
【０００６】
このことを解決するために、リング状の識別部材に不要なケーブルを通して識別部材を移動させて目視で確認して不要ケーブルを追跡したり、あるいは、不要なケーブルに電圧を印加してセンサで磁束を検出しながらセンサを移動させて不要ケーブルを追跡することが提案されている。前者は上記特許文献１に記載されており、後者は上記特許文献２に記載されている。
【０００７】
【発明が解決しようとする課題】
従来技術は識別部材あるいはセンサを移動させて不要ケーブルを追跡して撤去している。このため、ケーブル長が長距離で多数本のケーブルが布設されていると撤去作業が面倒で撤去作業に多くの時間を要するという問題点を有する。
【０００８】
本発明の目的は不要ケーブルの識別を簡単にできケーブル撤去作業を容易に行える撤去ケーブル識別方法を提供することにある。
【０００９】
【課題を解決するための手段】
本発明の特徴とするところは、布設されている複数本のシールドケーブルの絶縁外皮に任意区間毎に示温変色塗料を塗布し、撤去すべきシールドケーブルの一端における芯線とシールド線を電気的に接続して他端の芯線とシールド線の間に電圧を印加し示温変色塗料の変色によって撤去すべきシールドケーブルを識別するようにしたことにある。
【００１０】
本発明の望ましい実施形態は芯線とシールド線の間に高周波電圧を印加して表皮効果によってケーブル表面の温度を高くし示温変色塗料を変色させるようにする。
【００１１】
本発明は布設された複数本のケーブル絶縁外皮に示温変色塗料を塗布し撤去対象ケーブルの芯線とシールド線に電流を流して加熱させ示温変色塗料の変色により撤去すべきケーブルを識別しているので、不要ケーブルの識別を簡単にできケーブル撤去作業を容易に行うことができる。
【００１２】
【発明の実施の形態】
図１に本発明の一実施例を示す。
【００１３】
図１において、シールドケーブル１は導体の芯線２を覆う絶縁シース３の外面にシールド線４の編組を設け、シールド線編組４をゴムや樹脂の絶縁外皮５で覆い形成されている。ケーブル１の末端（両端）にはケーブル番号や接続先などを表示した識別具（図示せず）が取付けられている。
【００１４】
撤去すべきケーブル１の一端（図示左端）は芯線２とシールド線４を導線６で電気的に接続されている。また、ケーブル１の他端（図示右端）は芯線２とシールド線４が導線９によりスイッチ８を介して高周波電源７に接続されている。
【００１５】
このようなケーブル１は図４に示すように配線ダクト１２に収容されている。
配線ダクト１２は金属やコンクリートでＵ字状に形成され、内部にケーブル１を収納した後に蓋１３をしている。配線ダクト１２は地上に設置したり、建屋側壁のラック上に設置される。ケーブル１は配線ダクト１２内に整然と収容されているのではなく、通常、数十本〜数百本が乱雑に入り乱れて収容されている。
【００１６】
さて、本発明はこのように数十本〜数百本が入り乱れて収容されているケーブル１から不要ケーブルを次のようにして識別する。
【００１７】
図２に示すように、複数本（図示は４本）のケーブル１にスプレー缶１５から示温変色塗料１６を噴霧する。ケーブル１は領域１７の範囲に示温変色塗料１６を噴霧塗布される。スプレー缶１５による示温変色塗料１６の噴霧はケーブル１の全長に亘り任意区間毎に行われる。任意区間は一定距離である必要はなく、ケーブル１を切断する適当な長さで示温変色塗料１６の塗布がなされる。
【００１８】
布設されている複数本のケーブル１の全長に亘り任意区間毎に示温変色塗料１６を塗布したら撤去すべきケーブル１に接続した図１のスイッチ８をオンする。
ケーブル１の芯線２とシールド線４の間に高周波電源７から高周波電圧が印加される。芯線２とシールド線４に加熱用の電流が流れる。
【００１９】
このため芯線２及びシールド線４はそれぞれ電気抵抗に応じて発熱し、ケーブル１の絶縁外皮５に熱が伝導して温度が上昇し所定温度以上になる。ケーブル１の芯線２とシールド線４の間に高周波電源７で高周波電圧を印加して高周波電流を通流させているので表皮効果によって表面近くを流れ易くなりケーブル１の表面温度を効果的に高めることができる。
【００２０】
ケーブル１の絶縁外皮５に熱が伝導して温度が上昇し所定温度に達するための電流値と通電時間、ケーブル１の長さ、周囲温度等との関係は、予め実験により最適条件に設定する。この場合、所定温度はケーブル１の耐熱許容温度以下になるようにする必要がある。
【００２１】
芯線２とシールド線４に高周波電圧を印加され加熱電流が流れたケーブル１は、示温変色塗料１６の塗布領域１７が所定温度以上になると変色する。示温変色塗料１６は、例えば常温状態では青色であるが、温度が所定値以上になると赤色に変色する。ケーブル１の絶縁外皮５は図３に示すように示温変色塗料塗布領域１７ａ、１７ｂ、１７ｃが赤色に変色する。
【００２２】
示温変色塗料１６は所定温度以下に低下しても赤色を保持する性質の不可逆性のものと、変色温度より低い温度以下に低下すると元の色に戻る可逆性のものとがあり、何れを使用することもできる。示温変色塗料１６として不可逆性のものを使用すれば、変色した後に所定温度以下に低下しても変色状態を保持するため、所定温度以上を継続させる必要がなく撤去作業性が良いという利点がある。
【００２３】
可逆性の示温変色塗料１６を用いた場合は通電して熱により変色している間に別の塗料でマークすれば撤去すべきケーブル１の通電を断った後でも識別できる。また、ケーブル１の布設距離が比較的短い場合には変色した後に温度低下が小さい間に撤去作業をすれば、可逆性の示温変色塗料１６を使用しても識別の塗料を塗布することを省略できる。
【００２４】
可逆性示温変色塗料の一例としては、例えば、市販されているサーモペイント「日油技研工業（株）製の品種番号Ｒ−７」がある。これは、変色温度が７０℃で、低温時の赤色が７０℃になると暗い茶紫色に変色し、この温度より約１５℃低い温度以下になると元の赤色に戻るものである。したがって、このような可逆性示温変色塗料１６を本発明で用いると、温度が１５℃低下するまでの時間内で撤去対象ケーブルに目印を付した後、切断撤去作業することができる。
【００２５】
このようにして撤去すべきケーブルを識別するのであるが、複数本のケーブルの絶縁外皮に示温変色塗料を塗布し撤去対象ケーブルの芯線とシールド線に電流を流して加熱させ示温変色塗料の変色させて撤去すべきケーブルを識別しているので、不要ケーブルの識別を簡単にできケーブル撤去作業を容易に行うことができる。
【００２６】
また、上述の実施例は加熱用電源としては高周波電源を使用しているので、高周波電流の表皮効果によって表面近くを流れ易くなりケーブルの表面温度をより高めることができる。
【００２７】
なお、上述の実施例は加熱用電源としては高周波電源を使用しているが、商用電源あるいは直流電源を使用してもよいことは勿論のことである。
【００２８】
【発明の効果】
本発明は布設された複数本のケーブル絶縁外皮に示温変色塗料を塗布し撤去対象ケーブルの芯線とシールド線に電流を流して加熱させ示温変色塗料の変色により撤去すべきケーブルを識別しているので、不要ケーブルの識別を簡単にできケーブル撤去作業を容易に行うことができる。
【図面の簡単な説明】
【図１】本発明の一実施例を示す構成図である。
【図２】ケーブルに示温変色塗料を塗布する説明図である。
【図３】示温変色塗料が変色した状態示す図である。
【図４】配線ダクトにケーブルを収容した斜視図である。
【符号の説明】
１…ケーブル、２…芯線、３…絶縁シース、４…シールド線（シールド編組）５…絶縁外皮、６、９…導線、７…高周波電源、８…スイッチ、１２…配線ダクト、１３…配線ダクト蓋、１５…スプレー缶、１６…示温変色塗料、１７…示温変色塗料の塗布領域。
【図１】
2004282820.tif 000003
【図２】
2004282820.tif 000004
【図３】
2004282820.tif 000005
【図４】
2004282820.tif 000006